(57)【要約】【課題】照明系および合成系の光路調整が容易に実施可能で、かつ高精細な画像を投射可能なプロジェクタを提供する。【解決手段】プロジェクタは、Ｒ，Ｇ，Ｂの各色光を射出する光源装置、および各色光をＰ偏光光束およびＳ偏光光束に分離する３つの第一ＰＢＳ１３０を含む上段と、光束を画像情報に応じて光変調する第二ＰＢＳ１６０の光入射端面に固定された６つの光束透過型の液晶パネル１５０、光変調された光束の直線偏光光束を色光毎に合成するとともに、第一ＰＢＳ１３０と平面視で重なる位置に設けられる３つの第二ＰＢＳ１６０、第二ＰＢＳ１６０から射出される各色光を色合成する第二クロスダイクロイックプリズム１７０、および合成された画像光を投射する投射光学系１８０を含む下段と、第一ＰＢＳ１３０から液晶パネル１５０に光束を導く導光光学系１４０と、を備えている。【選択図】図３
2009175306.tif 000002
【特許請求の範囲】
【請求項１】
複数の色光を射出する光源装置と、
複数の前記色光を、直線偏光方向の違いにより、それぞれ２つの直線偏光光束に分離する複数の偏光分離素子と、
複数の前記直線偏光光束を画像情報に応じて光変調する複数の光束透過型の光変調素子と、
前記偏光分離素子にて分離された各直線偏光光束を前記光変調素子に導く導光光学系と、
複数の前記光変調装置で光変調された複数の前記直線偏光光束を、前記色光毎に合成する複数の偏光合成素子と、
前記偏光合成素子で直線偏光光束が合成された各色光を合成して画像光を形成する色合成光学系と、
前記画像光を投射する投射光学系と、を具備し、
前記光源装置、および複数の前記偏光分離素子は、同一面上である第一段に配置され、
複数の前記光変調素子、複数の前記偏光合成素子、前記色合成光学系、および前記投射光学系は、前記第一段に平行する面上である第二段に配置され、
前記第二段に配置される前記偏光合成素子は、平面視において、前記第一段に配置される前記偏光分離素子と重なる位置に設けられる
ことを特徴とするプロジェクタ。
【請求項２】
請求項１に記載のプロジェクタにおいて、
前記第一段は、前記第二段の鉛直上側に設けられる
ことを特徴とするプロジェクタ。
【請求項３】
請求項１または請求項２に記載のプロジェクタであって、
前記光源装置は、白色光を射出する光源と、前記白色光を複数の前記色光に分離する色分離光学素子と、を備え、
前記色分離光学素子は、前記平面視において、前記色合成光学系と重なる位置に設けられる
ことを特徴とするプロジェクタ。
【請求項４】
請求項１または請求項２に記載のプロジェクタであって、
前記光源は、前記偏光分離素子の光入射端面に設けられるとともに、複数の偏光分離素子に対してそれぞれ異なる色光を射出する複数の固体光源である
ことを特徴とするプロジェクタ。
【請求項５】
光束を射出する光源装置と、
前記光源装置からの光束を直線偏光方向の違いにより分離する偏光分離素子と、
前記分離された各直線偏光光束をそれぞれ複数の色光に分離する複数の色分離光学系と、
前記色分離光学系により分離された各色光を画像情報に応じて光変調する複数の透過型の光変調素子と、
前記色分離光学系にて分離された各色光を前記光変調素子に導く導光光学系と、
前記光変調素子により光変調された各色光を色合成する複数の色合成光学系と、
前記色合成光学系により色合成された各直線偏光光束を合成して、画像光を形成する偏光合成素子と、
前記画像光を投射する投射光学系と、を具備し、
前記光源装置、前記偏光分離素子、および複数の前記色分離光学系は、同一面上である第一段に配置され、
複数の前記光変調素子、複数の前記色合成光学系、前記偏光合成素子、および投射光学系は、前記第一段に平行する面上である第二段に配置され、
前記色分離光学系および前記色合成光学系は、平面視において重なる位置に設けられ、前記偏光分離素子および前記偏光合成素子は、平面視において重なる位置に設けられる
ことを特徴としたプロジェクタ。
【発明の詳細な説明】
【技術分野】
【０００１】
本発明は、光源からの光束を画像情報に応じて変調して投射するプロジェクタに関する。
【背景技術】
【０００２】
従来、各色光を画像情報に応じて変調して投射するプロジェクタが知られている（例えば、特許文献１参照）。
この特許文献１に記載の投射型表示装置は、光源からの白色光をダイクロイックミラーにより赤色光（Ｒ）、緑色光（Ｇ）、青色光（Ｂ）に色分解する。そして、これらの分解された各色光を、偏光ビームスプリッタによりＳ偏光とＰ偏光とに分離する。また、偏光ビームスプリッタの各偏光光の射出面には、反射型空間光変調素子が固定されていて、分離された各偏光光はこの反射型空間光変調素子で光変調されて反射される。そして、反射された各偏光光のうち、光変調されて偏光方向が変化した光束は、偏光ビームスプリッタにより合成されてクロスダイクロイックプリズムに入射する。また、クロスダイクロイックプリズムで各色光が合成されて投射レンズから投射される。
【０００３】
【特許文献１】特開平９−１５９９８８号公報
【発明の開示】
【発明が解決しようとする課題】
【０００４】
一般に、光変調素子に光束を入射させ、変調された光束を合成して投射させるプロジェクタでは、光変調素子に入射する照明系の光束の光路調整と、光変調素子から射出された後、精度よく結像させるための合成系の光束の光路調整とが必要となる。しかしながら、上記特許文献１のような投射型表示装置では、偏光ビームスプリッタの各偏光光束の射出面に反射型空間光変調素子が貼り付けられているため、照明系の光束の光路調整と、合成系の光束の光路調整とのうち、いずれか一方しか調整することができない。すなわち、高画質の画像を結像させるために、合成系の光路調整を実施すると、照明系の光路調整が実施できないため、照度ムラなどが生じるおそれがあり、照明系の光路調整を実施すると、結像のための調整が実施できず、画素ずれなどが生じるおそれがあるという問題がある。
【０００５】
本発明は、上記のような問題に鑑みて、照明系および合成系の光路調整が容易に実施可能で、かつ高精細な画像を投射可能なプロジェクタを提供することを目的とする。
【課題を解決するための手段】
【０００６】
本発明のプロジェクタは、複数の色光を射出する光源装置と、複数の前記色光を、直線偏光方向の違いにより、それぞれ２つの直線偏光光束に分離する複数の偏光分離素子と、複数の前記直線偏光光束を画像情報に応じて光変調する複数の光束透過型の光変調素子と、前記偏光分離素子にて分離された各直線偏光光束を前記光変調素子に導く導光光学系と、複数の前記光変調装置で光変調された複数の前記直線偏光光束を、前記色光毎に合成する複数の偏光合成素子と、前記偏光合成素子で直線偏光光束が合成された各色光を合成して画像光を形成する色合成光学系と、前記画像光を投射する投射光学系と、を具備し、前記光源装置、および複数の前記偏光分離素子は、同一面上である第一段に配置され、複数の前記光変調素子、複数の前記偏光合成素子、前記色合成光学系、および前記投射光学系は、前記第一段に平行する面上である第二段に配置され、前記第二段に配置される前記偏光合成素子は、平面視において、前記第一段に配置される前記偏光分離素子と重なる位置に設けられることを特徴とする。
【０００７】
この発明によれば、光源装置および複数の偏光分離素子が第一段に設けられ、この第一段と平行する第二段に複数の光変調素子、複数の偏光合成素子、および色合成光学系が設けられ、偏光分離素子および偏光合成素子が平面視において、重なる位置に設けられている。このような２段構成により各光学系を配置することにより、光源装置から射出される各色光の光路長を等しくすることができる。したがって、プロジェクタ内において特定色光の光量損失を抑えることができ、光源装置からの光束を効率的に利用することができる。よって、良好な色再現性を実現でき、高精度な画像光を投射光学系から射出させることができる。また、各色光の光路長を短く設定することができるため、各色光における光損失を抑えることができるとともに、プロジェクタの小型化をも促進できる。
【０００８】
さらに、各偏光分離素子により分離された各色光の２種の直線偏光光束は、導光光学系により各色光の各直線偏光光束に対応した透過型の光変調素子に導かれ、この光変調素子を透過した後、偏光合成素子で各色光において２種の直線偏光光束が合成される。このような構成では、光変調素子に入射する光束を均一にする調整（照明系の調整）は、各色光に対応した複数の偏光分離素子や導光光学系の位置や配置角度を調整することで容易に実施可能となる。
一方、光変調素子を透過して光変調された各直線偏光光束は、偏光合成素子により合成され、さらに色合成光学系により色合成されて投射光学系から射出される。ここで、投射光学系から射出される画像光による光学像を精度よく結像させるためには、色合成光学系に入射する各色光の入射角などを調整する必要がある。これには、偏光合成素子の位置や角度を調整することで、光変調素子を透過した光を合成して結像させる合成系の調整を実施することが可能となる。
したがって、偏光分離素子、導光光学系、および偏光合成素子の位置や角度を調整することで、照明系および合成系の双方の調整を実施することができ、照明ムラなどがない良好な画像を結像させることができる。
【０００９】
また、本発明のプロジェクタでは、前記第一段は、前記第二段の鉛直上側に設けられることが好ましい。
この発明によれば、光源装置が設けられる第一段が第二段の鉛直上方に設けられる。これにより、光源装置にて発生する熱を、他の光学系が設けられていない上方に逃がすことができる。したがって、例えば光変調素子などの光学部材の光源装置の熱による悪影響を抑えることができる。
【００１０】
さらに、本発明のプロジェクタは、前記光源装置は、白色光を射出する光源と、前記白色光を複数の前記色光に分離する色分離光学素子と、を備え、前記色分離光学素子は、前記平面視において、前記色合成光学系と重なる位置に設けられることが好ましい。
この発明によれば、色分離光学系が、平面視において色合成光学系と重なる位置に設けられているため、各色光が分離された後、再び色合成光学系により合成されるまでの各色光の光路長を等しくすることができる。したがって、良好な色再現性を実現できるとともに、プロジェクタの小型化をより促進させることができる。また、単一の光源から白色光を射出させてこの白色光を色分離光学系で複数の色光に分離させるので、複数の色光に対応して複数の光源を設ける必要がなく、構成を簡単にできる。
【００１１】
ここで、本発明のプロジェクタは、前記光源は、前記偏光分離素子の光入射端面に設けられるとともに、複数の偏光分離素子に対してそれぞれ異なる色光を射出する複数の固体光源である構成としてもよい。
この発明によれば、例えば各色光を射出するＬＥＤ（Light Emitting Diode）やＬＤ（Laser Diode）などの固体光源を、各色に対応する偏光分離素子の入射側端面に対向して設ける。これにより、白色光などの基本色の光束から複数の色光を分離させる必要がなく、容易に所望の色光を偏光分離素子に射出させることができる。
【００１２】
そして、本発明のプロジェクタは、光束を射出する光源装置と、前記光源装置からの光束を直線偏光方向の違いにより分離する偏光分離素子と、前記分離された各直線偏光光束をそれぞれ複数の色光に分離する複数の色分離光学系と、前記色分離光学系により分離された各色光を画像情報に応じて光変調する複数の透過型の光変調素子と、前記色分離光学系にて分離された各色光を前記光変調素子に導く導光光学系と、前記光変調素子により光変調された各色光を色合成する複数の色合成光学系と、前記色合成光学系により色合成された各直線偏光光束を合成して、画像光を形成する偏光合成素子と、前記画像光を投射する投射光学系と、を具備し、前記光源装置、前記偏光分離素子、および複数の前記色分離光学系は、同一面上である第一段に配置され、複数の前記光変調素子、複数の前記色合成光学系、前記偏光合成素子、および投射光学系は、前記第一段に平行する面上である第二段に配置され、前記色分離光学系および前記色合成光学系は、平面視において重なる位置に設けられ、前記偏光分離素子および前記偏光合成素子は、平面視において重なる位置に設けられることを特徴とする。
この発明によれば、光源から射出されて偏光分離素子により分離される各直線偏光光束が偏光合成素子により合成されるまでの各光路長が等しく、直線偏光光束が色分離光学系により各色光に分離されて色合成光学系により再び合成されるまでの各光路長が等しくなるため、例えば特定色の色再現性が悪化するなどの不都合がない。また、各色光、各直線偏光光束の光路を短く設定できるため、光量損失を抑えることができる。したがって、高画質な画像を表示させることができる。さらに、各光学部品を各色光の光路長が短くなるように設定されるので、プロジェクタの小型化をも促進できる。
【発明を実施するための最良の形態】
【００１３】
〔第一の実施の形態〕
以下、本発明に係る第一の実施の形態のプロジェクタについて、図面に基づいて説明する。
【００１４】
[プロジェクタの構成]
図１は、本発明に係る第一の実施の形態のプロジェクタの光学ユニットにおける上段の概略構成を示す図である。図２は、前記第一の実施の形態の光学ユニットにおける下段の概略構成を示す図である。図３は、前記第一の実施の形態の光学ユニットにおける青色光の光路に沿った各光学部品の構成を示す斜視図である。
【００１５】
プロジェクタは、画像情報に応じた画像光を射出してスクリーンなどの画像投影面に画像を表示させる装置である。このプロジェクタは、内部に、図１ないし図３に示すような光学ユニット１を備えている。
この光学ユニット１は、光源装置を構成する光源ランプ１１０と、光源装置を構成する色分離光学素子としての第一クロスダイクロイックプリズム１２０と、３つの偏光分離素子としての第一ＰＢＳ（Polarizing Beam Splitter）１３０と、導光光学系１４０と、６つの光変調装置としての液晶パネル１５０と、３つの偏光合成素子としての第二ＰＢＳ１６０と、色合成光学系としての第二クロスダイクロイックプリズム１７０と、投射光学系１８０と、を備えている。
【００１６】
ここで、図１に示すように、光源ランプ１１０、第一クロスダイクロイックプリズム１２０、および第一ＰＢＳ１３０は、光学ユニット１の第一段である上段となる平面上に配置されている。また、図２に示すように、液晶パネル１５０、第二ＰＢＳ１６０、第二クロスダイクロイックプリズム１７０、および投射光学系１８０は、光学ユニット１の第二段である下段となる平面上に配置されている。上段および下段の各光学部品が配置される平面は互いに平行であり、上段は下段の鉛直上側に配置される。そして、平面視において、第一クロスダイクロイックプリズム１２０は、第二クロスダイクロイックプリズム１７０と重なる位置に、第一ＰＢＳ１３０は第二ＰＢＳ１６０と重なる位置にそれぞれ配置されている。
【００１７】
光源ランプ１１０は、白色光束を一定方向に揃えて第一クロスダイクロイックプリズム１２０に射出する。具体的には、光源ランプ１１０は、放射された白色光束を反射鏡１１１により反射させて、光源ランプ１１０の前方に集束光として射出させる。また、光源ランプ１１０の前方に平行化レンズなどを設け、光源ランプ１１０からの射出光束を平行化する構成などとしてもよい。
なお、図示は省略するが、光源ランプ１１０から射出された白色光束は、画面照度均一分布化光学系により、照明領域の画面照度を均一化された後、第一クロスダイクロイックプリズム１２０に入射する。
【００１８】
第一クロスダイクロイックプリズム１２０は、光源ランプ１１０から入射した白色光を赤色（Ｒ）、緑色（Ｇ）、青色（Ｂ）の各色光に分離する。具体的には、第一クロスダイクロイックプリズム１２０は、４つの直角プリズムを張り合わせた平面視略正方形状に形成され、直角プリズム同士を貼り合わせた界面には、誘電体多層膜が形成されている。そして、略Ｘ字状の一方の誘電体多層膜は、赤色光を反射し、他方の誘電体多層膜は青色光を反射する。これらの誘電体多層膜により曲折された赤色光および青色光、および誘電体多層膜を透過した緑色光は、それぞれ第一クロスダイクロイックプリズムの射出側端面から射出して第一ＰＢＳ１３０に入射する。
【００１９】
第一ＰＢＳ１３０は、第一クロスダイクロイックプリズム１２０の射出側端面に対向して、それぞれ第一クロスダイクロイックプリズム１２０の射出側端面からの距離が等しくなる位置に配置される。すなわち、第一クロスダイクロイックプリズム１２０の赤色光が射出される射出側端面に対向する所定距離の位置に第一ＰＢＳ１３０Ｒが配置され、第一クロスダイクロイックプリズム１２０の緑色光が射出される射出側端面に対向する前記所定距離の位置に第一ＰＢＳ１３０Ｇが配置され、第一クロスダイクロイックプリズム１２０の青色光が射出される射出側端面に対向する前記所定距離の位置に第一ＰＢＳ１３０Ｂが配置される。
これらの第一ＰＢＳ１３０は、各色光を直線偏光の違いにより分離する。具体的には、第一ＰＢＳ１３０は、上段および下段を構成する平面（図１および図２における紙面と平行な面）に対して平行なＰ偏光光束と、前記平面に直交するＳ偏光光束と、に分離する。ここで、第一ＰＢＳ１３０は、入射された光束のうち、Ｐ偏光光束を透過、Ｓ偏光光束を反射させて、それぞれの直線偏光光束を導光光学系１４０に向かって射出する。
【００２０】
導光光学系１４０は、図１ないし図３に示すように、上段反射ミラー１４１（１４１ＲＰ，１４１ＲＳ，１４１ＧＰ，１４１ＧＳ，１４１ＢＰ，１４１ＢＳ）と、下段反射ミラー１４２（１４２ＲＰ，１４２ＲＳ，１４２ＧＰ，１４２ＧＳ，１４２ＢＰ，１４２ＢＳ）とを備えている。
【００２１】
上段反射ミラー１４１ＲＰは、赤色光に対応した第一ＰＢＳ１３０ＲのＰ偏光光束の射出面に対向して設けられ、上段反射ミラー１４１ＲＳは、第一ＰＢＳ１３０ＲのＳ偏光光束の射出面に対向して設けられている。同様に、上段反射ミラー１４１ＧＰは、緑色光に対応した第一ＰＢＳ１３０ＧのＰ偏光光束の射出面に対向して設けられ、上段反射ミラー１４１ＧＳは、第一ＰＢＳ１３０ＧのＳ偏光光束の射出面に対向して設けられている。同様に、上段反射ミラー１４１ＢＰは、青色光に対応した第一ＰＢＳ１３０ＢのＰ偏光光束の射出面に対向して設けられ、上段反射ミラー１４１ＢＳは、第一ＰＢＳ１３０ＢのＳ偏光光束の射出面に対向して設けられている。
これらの上段反射ミラー１４１は、図３に示すように、上段を構成する前記平面に対して例えば４５度傾斜した状態で配置され、第一ＰＢＳ１３０から射出された各色の直線偏光光束を鉛直下側に向かって反射させる。
【００２２】
また、下段反射ミラー１４２ＲＰは、上段反射ミラー１４１ＲＰの鉛直下側で、下段に配置される第二ＰＢＳ１６０Ｒの一方の光入射端面に対向して設けられ、下段反射ミラー１４２ＲＳは、上段反射ミラー１４１ＲＳの鉛直下側で、第二ＰＢＳ１６０Ｒの他方の光入射端面に対向して設けられている。同様に、下段反射ミラー１４２ＧＰは、上段反射ミラー１４１ＧＰの鉛直下側で、第二ＰＢＳ１６０Ｇの一方の光入射端面に対向して設けられ、下段反射ミラー１４２ＧＳは、上段反射ミラー１４１ＧＳの鉛直下側で、第二ＰＢＳ１６０Ｇの他方の光入射端面に対向して設けられている。同様に、下段反射ミラー１４２ＢＰは、上段反射ミラー１４１ＢＰの鉛直下側で、第二ＰＢＳ１６０Ｂの一方の光入射端面に対向して設けられ、下段反射ミラー１４２ＢＳは、上段反射ミラー１４１ＢＳの鉛直下側で、第二ＰＢＳ１６０Ｂの他方の光入射端面に対向して設けられている。
そして、これらの下段反射ミラー１４２は、下段を構成する前記平面に対して例えば４５度傾斜した状態で配置され、上段反射ミラー１４１にて反射された各直線偏光光束をそれぞれ第二ＰＢＳ１６０に向かって反射する。
また、各反射ミラー１４１，１４２は、それぞれ第一ＰＢＳ１３０、第二ＰＢＳ１６０から等距離となる位置に配置されている。これにより、第一ＰＢＳ１３０から射出される各色光の各直線偏光光束は、同一光路長で各液晶パネル１５０に導かれる。
【００２３】
液晶パネル１５０は、導光光学系１４０から入射した色光を第二ＰＢＳ１６０側に透過し、液晶セルに封入された液晶により、透過した色光を画像情報に応じて光変調する。これらの液晶パネル１５０は、各第二ＰＢＳ１６０の一対の光入射端面にそれぞれ貼り付け固定されている。
すなわち、赤色光の光路上に配置される第二ＰＢＳ１６０ＲのＰ偏光光束が入射する光入射端面に赤色Ｐ偏光光束用の液晶パネル１５０ＲＰ、第二ＰＢＳ１６０ＲのＳ偏光光束が入射する光入射端面に赤色Ｓ偏光光束用の液晶パネル１５０ＲＳがそれぞれ貼り付け固定されている。同様に、緑色光の光路上に配置される第二ＰＢＳ１６０ＧのＰ偏光光束が入射する光入射端面に緑色Ｐ偏光光束用の液晶パネル１５０ＧＰ、第二ＰＢＳ１６０ＧのＳ偏光光束が入射する光入射端面に緑色Ｓ偏光光束用の液晶パネル１５０ＧＳがそれぞれ貼り付け固定されている。同様に、青色光の光路上に配置される第二ＰＢＳ１６０ＢのＰ偏光光束が入射する光入射端面に青色Ｐ偏光光束用の液晶パネル１５０ＢＰ、第二ＰＢＳ１６０ＢのＳ偏光光束が入射する光入射端面に青色Ｓ偏光光束用の液晶パネル１５０ＢＳがそれぞれ貼り付け固定されている。
【００２４】
具体的には、各液晶パネル１５０は、第二ＰＢＳ１６０との間に図示しない位相差板および図示しない射出側偏光板を介在した状態で、第二ＰＢＳ１６０に貼り付けられて固定されている。また、各液晶パネル１５０は、それぞれ導光光学系１４０からの光入射面に図示しない入射側偏光板が貼り付けられて固定されている。
より具体的には、Ｐ偏光光束が入射する液晶パネル１５０ＲＰ，１５０ＧＰ，１５０ＢＰは、Ｐ偏光光束のみを透過させる入射側偏光板と、Ｐ偏光光束のみを透過させる射出側偏光板とが貼り付けられて固定されている。これにより、液晶パネル１５０ＲＰ，１５０ＧＰ，１５０ＢＰに入射したＰ偏光光束は、画像情報に応じた所定画素に対応する部分光束がＳ偏光光束に光変調され、さらに、位相差板により再びＰ偏光光束に偏光変換される。一方、液晶パネル１５０ＲＰ，１５０ＧＰ，１５０ＢＰにより変換されなかったＰ偏光光束は、位相差板によりＳ偏光光束に偏光変換される。そして、位相差板によりＰ偏光光束に変換された光束のみが射出側偏光板を透過して第二ＰＢＳ１６０に入射する。
一方、Ｓ偏光光束が入射する液晶パネル１５０ＲＳ，１５０ＧＳ，１５０ＢＳは、Ｓ偏光光束のみを透過させる入射側偏光板と、Ｓ偏光光束のみを透過させる射出側偏光板とが貼り付けられて固定されている。これにより、液晶パネル１５０ＲＳ，１５０ＧＳ，１５０ＢＳに入射したＳ偏光光束は、画像情報に応じて、所定画素に対応する部分光束がＰ偏光光束に光変調され、さらに、位相差板により再びＳ偏光光束に偏光変換される。一方、液晶パネル１５０ＲＳ，１５０ＧＳ，１５０ＢＳにより変換されなかったＳ偏光光束は、位相差板によりＰ偏光光束に偏光変換される。そして、位相差板によりＳ偏光光束に変換された光束のみが射出側偏光板を透過して第二ＰＢＳ１６０に入射する。
【００２５】
第二ＰＢＳ１６０は、前記したように、一対の光入射端面を備え、これらの光入射端面にそれぞれ各色に対応する液晶パネル１５０が貼り付け固定されている。そして、第二ＰＢＳ１６０は、偏光分離膜を備え、この偏光分離膜によりＳ偏光光束をＰ偏光光束の光路上に反射させて各直線偏光光束を合成する。
具体的には、赤色光の各直線偏光光束が入射される第二ＰＢＳ１６０Ｒは、赤色光のＰ偏光光束を透過させ、赤色光のＳ偏光光束を赤色光のＰ偏光光束の光進行方向に向かって反射させる。これにより、第二ＰＢＳ１６０Ｒは、Ｐ偏光光束とＳ偏光光束が合成された赤色光を第二クロスダイクロイックプリズム１７０に向かって射出する。
同様に、緑色光の各直線偏光光束が入射される第二ＰＢＳ１６０Ｇは、緑色光のＰ偏光光束を透過させ、緑色光のＳ偏光光束を緑色光のＰ偏光光束の光進行方向に向かって反射させる。これにより、第二ＰＢＳ１６０Ｇは、Ｐ偏光光束とＳ偏光光束が合成された緑色光を第二クロスダイクロイックプリズム１７０に向かって射出する。
同様に、青色光の各直線偏光光束が入射される第二ＰＢＳ１６０Ｂは、青色光のＰ偏光光束を透過させ、青色光のＳ偏光光束を青色光のＰ偏光光束の光進行方向に向かって反射させる。これにより、第二ＰＢＳ１６０Ｂは、Ｐ偏光光束とＳ偏光光束が合成された青色光を第二クロスダイクロイックプリズム１７０に向かって射出する。
【００２６】
第二クロスダイクロイックプリズム１７０は、各第二ＰＢＳ１６０から入射する各色光の光学像を合成して、カラー画像を形成する。この第二クロスダイクロイックプリズム１７０は、第一クロスダイクロイックプリズム１２０と同様に、４つの直角プリズムを張り合わせた平面視略正方形状に形成され、直角プリズム同士を貼り合わせた界面には、誘電体多層膜が形成されている。そして、略Ｘ字状の一方の誘電体多層膜は、赤色光を反射し、他方の誘電体多層膜は青色光を反射する。これらの誘電体多層膜により曲折された赤色光および青色光は、緑色光の進行方向と揃えられることにより、３つの色光が合成される。
また、第二クロスダイクロイックプリズム１７０は、各光入射端面から対向する第二ＰＢＳ１６０までの距離がそれぞれ同一距離となるように、配置されている。これにより、第一クロスダイクロイックプリズム１２０にて分離される各色光は、同一光路長で第二クロスダイクロイックプリズム１７０に入射して色合成される。
【００２７】
投射光学系１８０は、第二クロスダイクロイックプリズム１７０により合成された画像光を拡大投射し、図示しないスクリーン上で画像を形成する。
【００２８】
〔光路調整〕
上記のような、プロジェクタの光学ユニット１では、各液晶パネル１５０に入射する入射光の角度を調整することで、液晶パネル１５０の各液晶セルに入射する光量を均一にし、照明ムラを無くす処理をする（照明系の調整）。これには、各第一ＰＢＳ１３０の角度や位置調整、導光光学系１４０の各反射ミラー１４１，１４２の角度や位置調整を実施し、液晶パネル１５０に入射する各色光を均一化する。
【００２９】
また、各液晶パネル１５０から射出される各色光を同一光路軸に揃えて、投射光学系１８０から投射される画像光の結像状態を調整する（合成系の調整）。これには、第二クロスダイクロイックプリズム１７０にて合成される各色光の画像光が、画素単位で一致して同一光路に沿って射出されるように、各第二ＰＢＳ１６０の角度や位置調整を実施する。
【００３０】
〔プロジェクタの作用効果〕
上述したように、上記第一の実施の形態のプロジェクタでは、上段に配置される光源ランプ１１０および第一クロスダイクロイックプリズム１２０により、各色光を色毎に対応した第一ＰＢＳ１３０Ｒ，１３０Ｇ，１３０Ｂに射出し、これらの第一ＰＢＳ１３０Ｒ，１３０Ｇ，１３０ＢでＰ偏光光束とＳ偏光光束とに分離する。そして、これらのＰ偏光光束およびＳ偏光光束は、導光光学系１４０により下段に設けられる第二ＰＢＳ１６０Ｒ，１６０Ｇ，１６０Ｂの光入射端面に設けられる各色光、各偏光方向に対応した液晶パネル１５０に導かれて光変調される。そして、平面視で第一ＰＢＳ１３０Ｒ，１３０Ｇ，１３０Ｂと重なる位置に設けられる第二ＰＢＳ１６０Ｒ，１６０Ｇ，１６０Ｂにより各色光のＰ偏光光束およびＳ偏光光束とが合成され、さらに、第二クロスダイクロイックプリズム１７０によりこれらの直線偏光光束が合成された各色光が合成されてカラー画像の画像光が形成される。
このため、第一クロスダイクロイックプリズム１２０にて分離される各色光が第二クロスダイクロイックプリズム１７０にて再び色合成されるまでの各光路長は、同一距離となる。これにより、光路長の差による所定色の光量減少などの不都合を防止でき、良好な色再現性を実現でき、高精度な画像を表示させることができる。また、各色光の光路長を短くすることができるため、光量損失が抑えられ、光源ランプ１１０からの光束を有効に利用することができ、光学ユニット１およびプロジェクタの小型化にも貢献できる。
さらには、液晶パネル１５０は光束透過型であり、導光光学系１４０から入射した光束を光変調して第二ＰＢＳ１６０側に射出する。したがって、各第一ＰＢＳ１３０や導光光学系１４０の各反射ミラー１４１，１４２の角度や位置を調整することにより、容易に照明系の調整を実施することができ、液晶パネル１５０に入射する光束を均一化して照明ムラなどの不都合を回避できる。また、各液晶パネル１５０を透過した光束は、第二ＰＢＳ１６０の角度や位置を調整することで、容易に第二クロスダイクロイックプリズム１７０にて合成される画像の調整（合成系の調整）を実施することができ、良好な結像状態を実現することができる。すなわち、照明系の調整と合成系の調整との双方の調整を実施することができるため、より良好な画質の画像光を投射光学系１８０から投射させることができ、高精度な画像を表示させることができる。
【００３１】
また、上段に光源ランプ１１０が設けられているため、光源ランプ１１０で発生した熱を上方に逃がすことで、下段に設けられる液晶パネル１５０などの光学部品に影響を与えず、プロジェクタを冷却するための冷却ファンなどの駆動電力をも抑えることができる。
【００３２】
また、光源ランプ１１０から射出される白色光を、平面視において第二クロスダイクロイックプリズム１７０と重なる位置で上段に設けられる第一クロスダイクロイックプリズム１２０でＲ，Ｇ，Ｂの各色光に分離し、各第一ＰＢＳ１３０に入射させている。このため、光源として単一色のみを発色させる光源ランプ１１０を用いた場合でも、各色光の光路長を略同一にすることができ、良好な色再現性の画像を表示させることができる。また、光源として白色光のみを射出する光源ランプ１１０を１つ用いるのみの構成であるため、構成を簡単にでき、光学ユニット１の小型化およびコストダウンに貢献できる。
【００３３】
また、導光光学系１４０は、上段反射ミラー１４１により各直線偏光光束を下段に反射させ、下段反射ミラー１４２により各液晶パネル１５０に前記各直線偏光光束を反射させる。すなわち、導光光学系１４０としては、複数の反射ミラーを用い、容易に光を導くことができる。したがって、プリズムなどの高価な光学部品が不要であり、プロジェクタのコストダウンに貢献できる。
【００３４】
〔第二の実施の形態〕
次に、本発明の第二の実施の形態のプロジェクタについて、図面に基づいて説明する。
図４は、本発明に係る第二の実施の形態のプロジェクタにおける光学ユニットの上段の構成を示す図である。なお、以降の図において第一の実施の形態と同様の構成については、同符号を付し、その説明を省略または簡略する。
【００３５】
前記第一の実施の形態では、光源装置として、光源ランプ１１０および第一クロスダイクロイックプリズム１２０を用いる例を示したが、第二の実施の形態では、図４に示すように、光源装置として、固体光源としてのＬＤ（Laser Diode）基板１１２を用いる。具体的には、赤色レーザ光を射出するＬＤ基板１１２Ｒと、緑色レーザ光を射出するＬＤ基板１１２Ｇと、青色レーザ光Ｂを射出するＬＤ基板１１２Ｂとを用いる。
【００３６】
ＬＤ基板１１２Ｒは、赤色レーザ光を射出する赤色半導体レーザがプロジェクタの表示解像度に対応してマトリクス状に基板上に配置され、第一ＰＢＳ１３０Ｒの光入射端面に貼り付けて固定、または光入射端面に平行に配置される。同様に、ＬＤ基板１１２Ｇは、緑色レーザ光を射出する緑色半導体レーザがプロジェクタの表示解像度に対応してマトリクス状に配列され、第一ＰＢＳ１３０Ｇの光入射端面に貼り付けて固定、または光入射端面に平行に配置される。同様に、ＬＤ基板１１２Ｂは、青色レーザ光を射出する青色半導体レーザがプロジェクタの表示解像度に対応してマトリクス状に配置され、第一ＰＢＳ１３０Ｂの光入射端面に貼り付けて固定、または光入射端面に平行に配置される。これらのＬＤ基板１１２に配置される各半導体レーザは、径偏光レーザダイオードであり、円偏光レーザ光を射出する。
【００３７】
これらのＬＤ基板１１２から射出されるレーザ光は、前記第一の実施の形態における第一クロスダイクロイックプリズム１２０により分離された各色光と同様の光路に沿って射出される。すなわち、各色レーザ光は、各色に対応した第一ＰＢＳ１３０により、Ｐ偏光光束とＳ偏光光束とに分離される。そして、各色レーザ光の各直線偏光光束は、第一の実施の形態と同様に、導光光学系１４０により下段に設けられる各色および各直線偏光に対応した液晶パネル１５０を透過して、画像情報に応じて光変調され、第二ＰＢＳ１６０に入射する。そして、第二ＰＢＳ１６０により各色レーザ光のＰ偏光光束とＳ偏光光束とが合成され、合成された各色レーザ光が第二クロスダイクロイックプリズム１７０に入射する。この後、第二クロスダイクロイックプリズム１７０で各色レーザ光が合成されてカラー画像の画像光を形成し、投射光学系１８０から投射される。
【００３８】
〔第二の実施の形態のプロジェクタの作用効果〕
上述したように、上記第二の実施の形態のプロジェクタの光学ユニット１Ａでは、光源装置として、固体光源である半導体レーザが配置されるＬＤ基板１１２が用いられる。そして、各ＬＤ基板１１２から射出されるレーザ光は、各第一ＰＢＳ１３０の入射側端面に入射し、導光光学系１４０により下段に導かれた後、各色、各直線偏光方向に対応する液晶パネル１５０を透過し、各第二ＰＢＳ１６０および第二クロスダイクロイックプリズム１７０を経て投射光学系１８０から投射される。
このため、第一クロスダイクロイックプリズム１２０が不要となるため、光学ユニット１の構成をより簡単にでき、プロジェクタの小型化により貢献することができる。
【００３９】
また、固体光源として、平行光であるレーザ光を射出する半導体レーザがマトリクス状に配置されるＬＤ基板１１２を用いるため、射出された光を平行化する平行化レンズなどが不要となり、射出される光を部分光束にするための均一照明光学系などをも不要にできる。したがって、光学ユニット１の構成をより簡単にすることができる。
【００４０】
〔他の実施の形態〕
なお、本発明は前述の実施形態に限定されるものではなく、本発明の目的を達成できる範囲での変形、改良等は本発明に含まれるものである。
【００４１】
例えば、上記第一の実施の形態において、第一クロスダイクロイックプリズム１２０と第二クロスダイクロイックプリズム１７０とを別体としたが、上段および下段に跨って長手となる１つのクロスダイクロイックプリズムを用いてもよい。このようなクロスダイクロイックプリズムでは、上段において、光源ランプ１１０から射出される白色光を各色光に分離し、下段において、第二ＰＢＳ１６０Ｒ，１６０Ｇ，１６０Ｂから射出される各色光を合成する。この構成では、長手状の４つの直角プリズムを張り合わせることで、容易に上記クロスダイクロイックプリズムを形成することができ、製造コストを低減させることができる。
【００４２】
また、第二の実施の形態において、固体光源として半導体レーザがマトリクス状に配設されるＬＤ基板１１２を用いる例を示したが、これに限定されない。例えば、固体光源としては、ＬＥＤを用いてもよい。
【００４３】
また、上段に光源装置および各第一ＰＢＳ１３０、下段に各液晶パネル１５０、各第二ＰＢＳ１６０、第二クロスダイクロイックプリズム１７０、および投射光学系１８０が配置される例を示したが、これに限定されない。例えば、上段に各液晶パネル１５０、各第二ＰＢＳ１６０、第二クロスダイクロイックプリズム１７０、および投射光学系１８０、下段に光源装置および各第一ＰＢＳ１３０が配置される構成としてもよい。この場合、光源ランプ１１０からの熱を冷却する冷却機構を別途設けることで、他の光学部品の熱に影響を抑えることができる。
【００４４】
さらに、上記第一および第二の実施の形態では、光源装置から射出される各色光を、Ｐ偏光光束とＳ偏光光束とに分離し、これらＰ偏光光束およびＳ偏光光束を導光光学系１４０により下段に導いた後、各液晶パネル１５０により光変調させる。そして、光変調された各直線偏光光束を第二ＰＢＳ１６０で合成した後、第二クロスダイクロイックプリズム１７０で色合成する構成としたが、これに限定されない。
例えば、図５および図６に示す構成としてもよい。図５は、他の実施の形態におけるプロジェクタの光学ユニットにおいて、上段の構成を示す図である。図６は、図５に示されるプロジェクタにおいて、下段の構成を示す図である。
この光学ユニット１Ｂでは、上段には、図５に示すように、光源装置としての光源ランプ１１０と、偏光分離素子としての上段ＰＢＳ２２０と、２つの色分離光学系としての上段クロスダイクロイックプリズム２３０とが設けられている。また、下段には、図６に示すように、２つの色合成光学系としての下段クロスダイクロイックプリズム２６０と、下段クロスダイクロイックプリズム２６０の光入射面に設けられる液晶パネル１５０と、偏光合成素子としての下段ＰＢＳ２７０と、を備えている。ここで、上段ＰＢＳ２２０と下段ＰＢＳ２７０とは、平面視において、重なる位置に配置されている。同様に、上段クロスダイクロイックプリズム２３０および下段クロスダイクロイックプリズム２６０は、平面視において重なる位置に配置されている。また、上段および下段の間には、上段クロスダイクロイックプリズム２３０から射出される各色光を、下段クロスダイクロイックプリズム２６０の光入射端面に設けられる各液晶パネル１５０に導く導光光学系１４０Ａが設けられている。なお、上段ＰＢＳ２２０と下段ＰＢＳ２７０とは、一体形成されていてもよい。
【００４５】
上段ＰＢＳ２２０は、光源ランプ１１０から射出される白色光を、Ｐ偏光光束とＳ偏光光束とに分離する。
上段クロスダイクロイックプリズム２３０は、光入射端面が、上段ＰＢＳ２２０の光射出面に対向するように配置されている。具体的には、上段ＰＢＳ２２０のＰ偏光光束の光射出面に対向して、上段クロスダイクロイックプリズム２３０Ｐが配置され、Ｓ偏光光束の光射出面に対向して、上段クロスダイクロイックプリズム２３０Ｓが配置される。上段クロスダイクロイックプリズム２３０Ｐは、Ｐ偏光光束の白色光を赤色、緑色、青色の３色に分離する。すなわち、上段クロスダイクロイックプリズム２３０Ｐは、緑色光を透過させ、赤色光をＸ字状に配置される誘電多層膜のうち一方で反射させ、青色光をＸ字状に配置される誘電多層膜のうち他方で反射させる。上段クロスダイクロイックプリズム２３０Ｓも同様に、入射したＳ偏光光束を、赤色、緑色、青色の３つの色光に分離し、それぞれ異なる方向に射出する。
【００４６】
導光光学系１４０Ａは、上段反射ミラー１４３（１４３ＲＰ，１４３ＧＰ，１４３ＢＰ，１４３ＲＳ，１４３ＧＳ，１４３ＢＳ）と、下段反射ミラー１４４（１４４ＲＰ，１４４ＧＰ，１４４ＢＰ，１４４ＲＳ，１４４ＧＳ，１４４ＢＳ）とを備えている。
上段反射ミラー１４３ＲＰ，１４３ＧＰ，１４３ＢＰは、それぞれ上段クロスダイクロイックプリズム２３０Ｐの赤色光の射出面、緑色光の射出面、青色面の射出面に対向して設けられている。同様に、上段反射ミラー１４３ＲＳ，１４３ＧＳ，１４３ＢＳは、それぞれ上段クロスダイクロイックプリズム２３０Ｓの赤色光の射出面、緑色光の射出面、青色面の射出面に対向して設けられている。これらの上段反射ミラー１４３は、上段を構成する前記平面に対して例えば４５度傾斜した状態で配置され、上段クロスダイクロイックプリズム２３０から射出された各色の直線偏光光束を鉛直下側に向かって反射させる。
また、下段反射ミラー１４４ＲＰ，１４４ＧＰ，１４４ＢＰは、それぞれ上段反射ミラー１４３ＲＰ，１４３ＧＰ，１４３ＢＰの鉛直下側で、下段に配置される下段クロスダイクロイックプリズム２６０Ｐの光入射端面に対向して設けられている。同様に、下段反射ミラー１４４ＲＳ，１４４ＧＳ，１４４ＢＳは、それぞれ上段反射ミラー１４３ＲＳ，１４３ＧＳ，１４３ＢＳの鉛直下側で、下段に配置される下段クロスダイクロイックプリズム２６０Ｓの光入射端面に対向して設けられている。これらの下段反射ミラー１４４は、下段を構成する前記平面に対して例えば４５度傾斜した状態で配置され、上段反射ミラー１４３にて反射された各色の各直線偏光光束をそれぞれ下段クロスダイクロイックプリズム２６０に向かって反射する。
【００４７】
液晶パネル１５０は、導光光学系１４０から入射した色光を下段クロスダイクロイックプリズム２６０側に透過し、液晶セルに封入された液晶により、透過した色光を画像情報に応じて光変調する。これらの液晶パネル１５０は、各下段クロスダイクロイックプリズム２６０の３つの光入射端面にそれぞれ貼り付け固定されている。すなわち、Ｐ偏光光束の光路上に配置される下段クロスダイクロイックプリズム２６０Ｐにおいて、赤色光が入射する光入射端面には、赤色Ｐ偏光光束用の液晶パネル１５０ＲＰ、緑色光が入射する光入射端面には、緑色Ｐ偏光光束用の液晶パネル１５０ＧＰ、青色光が入射する光入射端面には、青色Ｐ偏光光束用の液晶パネル１５０ＢＰが貼り付け固定されている。
同様に、Ｓ偏光光束の光路上に配置される下段クロスダイクロイックプリズム２６０Ｓにおいて、赤色光が入射する光入射端面には、赤色Ｓ偏光光束用の液晶パネル１５０ＲＳ、緑色光が入射する光入射端面には、緑色Ｓ偏光光束用の液晶パネル１５０ＧＳ、青色光が入射する光入射端面には、青色Ｓ偏光光束用の液晶パネル１５０ＢＳが貼り付け固定されている。
また、各液晶パネル１５０は、下段クロスダイクロイックプリズム２６０との間に図示しない位相差板および図示しない射出側偏光板を介在した状態で、下段クロスダイクロイックプリズム２６０の光入射端面に貼り付けられて固定されている。さらに、各液晶パネル１５０は、それぞれ導光光学系１４０からの光入射面に図示しない入射側偏光板が貼り付けられて固定されている。ここで、Ｐ偏光光束が入射する液晶パネル１５０ＲＰ，１５０ＧＰ，１５０ＢＰは、Ｐ偏光光束のみを透過させる入射側偏光板と、Ｐ偏光光束のみを透過させる射出側偏光板とが貼り付けられて固定されている。一方、Ｓ偏光光束が入射する液晶パネル１５０ＲＳ，１５０ＧＳ，１５０ＢＳは、Ｓ偏光光束のみを透過させる入射側偏光板と、Ｓ偏光光束のみを透過させる射出側偏光板とが貼り付けられて固定されている。
【００４８】
下段クロスダイクロイックプリズム２６０は、前記したように、３つの光入射端面を備え、これらの光入射端面にそれぞれ各色、各直線偏光に対応する液晶パネル１５０が貼り付け固定されている。そして、下段クロスダイクロイックプリズム２６０は、Ｘ字状に配置される一対の誘電多層膜を備え、この誘電多層膜のうち一方で赤色光を反射させ、他方で青色光を反射させ、緑色光を透過させる。これにより、赤色、緑色、青色の３色光を緑色光の光路上で合成する。具体的には、Ｐ偏光光束の各色光が入射される下段クロスダイクロイックプリズム２６０Ｐは、入射されるＰ偏光光束の各色光を合成して、Ｐ偏光光束のカラー画像の画像光を射出する。また、Ｓ偏光光束の各色光が入射される下段クロスダイクロイックプリズム２６０Ｓは、入射されるＳ偏光光束の各色光を合成して、Ｓ偏光光束のカラー画像の画像光を射出する。
【００４９】
下段ＰＢＳ２７０は、各下段クロスダイクロイックプリズム２６０から入射する各直線偏光光束を合成して、カラー画像の画像光を形成する。
投射光学系１８０は、下段ＰＢＳ２７０により合成された画像光を拡大投射し、図示しないスクリーン上で画像を形成する。
【００５０】
上記のような構成の光学ユニット１Ｂでも、上記第一および第二の実施の形態と同様に、各色光、各直線偏光光束の光路長を等しくできるため、良好な色再現性を実現できる。また、光量の損失も少なくできるため、光源ランプ１１０からの光束を効率的に利用でき、省エネルギー化にも貢献でき、プロジェクタの小型化にも貢献できる。
さらに、上段クロスダイクロイックプリズム２３０や導光光学系１４０Ａの各反射ミラー１４３，１４４を調整することにより、照明系の調整を実施できる。一方、下段クロスダイクロイックプリズム２６０を調整することにより、各液晶パネル１５０から射出される光束を良好に結像させるための合成系の調整も実施できる。したがって、照明系および合成系の双方の調整を実施できるため、照明ムラがない良好な結像状態の画像を表示させることができる。
【００５１】
その他、本発明の実施の際の具体的な構造および手順は、本発明の目的を達成できる範囲で他の構造などに適宜変更できる。
【図面の簡単な説明】
【００５２】
【図１】本発明に係る第一の実施の形態のプロジェクタの光学ユニットにおける上段の概略構成を示す図である。
【図２】前記第一の実施の形態の光学ユニットにおける下段の概略構成を示す図である。
【図３】前記第一の実施の形態の光学ユニットにおける青色光の光路に沿った各光学部品の構成を示す斜視図である。
【図４】本発明に係る第二の実施の形態のプロジェクタにおける光学ユニットの上段の構成を示す図である。
【図５】本発明に係る他の実施の形態のプロジェクタの光学ユニットにおける上段の概略構成を示す図である。
【図６】図５に示されるプロジェクタの光学ユニットにおける下段の概略構成を示す図である。
【符号の説明】
【００５３】
１１０…光源装置を構成する光源ランプ、１１２…光源装置を構成する固体光源としてのＬＤ基板、１２０…光源装置を構成する色分離光学系としての第一クロスダイクロイックプリズム、１３０…偏光分離素子としての第一ＰＢＳ、１４０，１４０Ａ…導光光学系、１５０…光変調素子としての液晶パネル、１６０…偏光合成素子としての第二ＰＢＳ、１７０…色合成光学系としての第二クロスダイクロイックプリズム、１８０…投射光学系。
【図１】
2009175306.tif 000003
【図２】
2009175306.tif 000004
【図３】
2009175306.tif 000005
【図４】
2009175306.tif 000006
【図５】
2009175306.tif 000007
【図６】
2009175306.tif 000008